(57)【要約】      （修正有）【課題】利用者を検知したなら予め設定した条件により音声を発し、便器に洗浄水を自動で流す水洗トイレの流水システムを提供する。【解決手段】利用者を検知したなら予め設定した条件により音声メッセージ及び／又は擬音を出力し、かつ駆動部２を制御して便器Ｍに洗浄水を自動で流す水洗トイレＴの流水システム１を構成するに際して、トイレブースＲ内における炎Ｆを検知する炎検知部Ｕｘと、この炎検知部Ｕｘにより炎Ｆを検知したなら利用者に注意を促す警告発生手段５，及び少なくとも検知数に係わる炎検知データを記憶するデータ記憶手段を有するコントロール部Ｕｃとを備える。【選択図】図１
0003172355.tif 000002
【実用新案登録請求の範囲】
【請求項１】
利用者を検知したなら予め設定した条件により音声メッセージ及び／又は擬音を出力しかつ駆動部を制御して便器に洗浄水を自動で流す水洗トイレの流水システムにおいて、トイレブース内における炎を検知する炎検知部と、この炎検知部により炎を検知したなら利用者に注意を促す警告発生手段，及び少なくとも検知数に係わる炎検知データを記憶するデータ記憶手段を有するコントロール部とを備えてなることを特徴とする水洗トイレの流水システム。
【請求項２】
前記駆動部は、駆動モータと、この駆動モータの回転を運動変換してフラッシュバルブの操作ハンドルを開位置又は閉位置に選択的に変位させる運動変換機構を備えることを特徴とする請求項１記載の水洗トイレの流水システム。
【請求項３】
前記コントロール部は、前記データ記憶手段により記憶したデータを、外部機器に転送可能なデータ通信手段を備えることを特徴とする請求項１記載の水洗トイレの流水システム。
【請求項４】
前記データには、前記炎検知データに加え、前記操作ハンドルに対する操作の回数に係わるデータ及び操作時の条件に係わるデータを含むことを特徴とする請求項１又は３記載の水洗トイレの流水システム。
【考案の詳細な説明】
【技術分野】
【０００１】
本考案は、利用者を検知したなら予め設定した条件により音声を発し、かつ駆動部を制御して便器に洗浄水を自動で流す水洗トイレの流水システムに関する。
【背景技術】
【０００２】
一般に、オフィスビルや公共施設等の水洗トイレ、特に、和式大便器を用いた水洗トイレの場合、一回に使用する洗浄水の量は、通常、１２リットル程度となり、大量の水道水が使用される。このため、無駄な流水をできるだけ排することが、節水対策において重要な課題となり、従来より、様々な節水機能を施した水洗トイレも知られている。
【０００３】
例えば、特許文献１には、水洗便器に対して洗浄水を放水するための放水経路上にフラッシュバルブを設け、フラッシュバルブの圧力室内の圧力を変化させることにより、フラッシュバルブ内の弁体を開弁位置及び閉弁位置に移動させて放水経路を開閉するとともに、放水経路とフラッシュバルブの圧力室との間を接続するバイパス経路と、バイパス経路上に設けられ、圧力室内の圧力を変化させるべくバイパス経路を開閉する電磁弁と、フラッシュバルブの圧力室内に水を供給するための給水経路と、電磁弁駆動のための開閉信号を出力する開閉信号出力手段と、開閉信号出力手段からの開閉信号に基づいて、電磁弁を開閉駆動制御する制御手段とを備え、通常は、電磁弁（ソレノイド）の励磁時間（放水時間）を３秒とするとともに、人体感知センサによる使用者の検出時間が１２０秒を越えたときは、電磁弁（ソレノイド）の励磁時間（放水時間）を１０秒に変更して節水効果を得れるようにした水洗便所の節水装置が開示されている。
【先行技術文献】
【特許文献】
【０００４】
【特許文献１】特開平８−３２６１１７号
【考案の概要】
【考案が解決しようとする課題】
【０００５】
しかし、上述した従来における水洗便所の節水装置（水洗トイレの流水システム）は、次のような問題点があった。
【０００６】
第一に、節水機能以外の他の付加的機能、例えば、火災防止やトイレ環境維持等に対する付加的機能については、十分な考慮がなされていないため、高い付加価値を得る観点からは不十分である。結局、設備（システム）を有効利用することができず、多機能性（多様性）及びコストパフォーマンスに劣る。
【０００７】
第二に、フラッシュバルブ全体を専用のユニットとして構成するため、ユニット単価の高コスト化を強いられる。一方、既存のフラッシュバルブをそのまま利用して構成する場合、コスト面では有利になるものの、フラッシュバルブの外部に追加機構を付加する構成となるため、フラッシュバルブ全体の大型化が強いられ、この対策が課題となる。
【０００８】
第三に、一定の節水効果は得れるものの、更なる発展させた節水対策を行ったり節水意識を高めにくい。即ち、実際の使用状態を的確かつ容易に把握できないため、例えば、データ解析を行うなどにより、流水システムの本来の機能や利便性を確保しつつ、更なる発展させた節水対策を行ったり節水意識を高めにくく、結局、節水効果や節水意識を高めるにも限界がある。
【０００９】
本考案は、このような背景技術に存在する課題を解決した水洗トイレの流水システムの提供を目的とするものである。
【課題を解決するための手段】
【００１０】
本考案は、上述した課題を解決するため、利用者を検知したなら予め設定した条件により音声メッセージ及び／又は擬音を出力し、かつ駆動部２を制御して便器Ｍに洗浄水を自動で流す水洗トイレＴの流水システム１を構成するに際して、トイレブースＲ内における炎Ｆを検知する炎検知部Ｕｘと、この炎検知部Ｕｘにより炎Ｆを検知したなら利用者に注意を促す警告発生手段５，及び少なくとも検知数に係わる炎検知データＤｎを記憶するデータ記憶手段４を有するコントロール部Ｕｃとを備えてなることを特徴とする。
【００１１】
この場合、考案の好適な態様により、駆動部２は、駆動モータ１１と、この駆動モータ１１の回転を運動変換してフラッシュバルブ１２の操作ハンドル１３を開位置Ｘｏ又は閉位置Ｘｃに選択的に変位させる運動変換機構１４を備えて構成できる。また、コントロール部Ｕｃには、データ記憶手段４により記憶したデータＤを、外部機器Ｕｏに転送可能なデータ通信手段１５を設けることができる。さらに、データＤには、炎検知データＤｎに加え、操作ハンドル１３に対する操作の回数に係わるデータＤｔ及び操作時の条件に係わるデータＤｒを含ませることができる。
【考案の効果】
【００１２】
このような構成を有する本考案に係る水洗トイレＴの流水システム１によれば、次のような顕著な効果を奏する。
【００１３】
（１）  トイレブースＲ内における炎Ｆを検知する炎検知部Ｕｘと、この炎検知部Ｕｘにより炎Ｆを検知したなら利用者に注意を促す警告発生手段５，及び少なくとも検知数に係わる炎検知データＤｎを含むデータＤを記憶するデータ記憶手段４を有するコントロール部Ｕｃとを設けたため、火災防止やトイレ環境維持等の高い付加価値を得ることができる。したがって、システム１の有効利用が可能となり、多機能性（多様性）及びコストパフォーマンスに優れる。
【００１４】
（２）  好適な態様により、駆動部２を、駆動モータ１１と、この駆動モータ１１の回転を運動変換してフラッシュバルブ１２の操作ハンドル１３を開位置Ｘｏ又は閉位置Ｘｃに選択的に変位させる運動変換機構１４を備えて構成すれば、既存のフラッシュバルブ１２をそのまま利用することができる。したがって、操作ハンドル１３の交換により容易に対応することができ、フラッシュバルブ１２の周辺構成の低コスト化及び小型コンパクト化の双方を満足させることができる。
【００１５】
（３）  好適な態様により、コントロール部Ｕｃに、データ記憶手段４により記憶したデータＤを、外部機器Ｕｏに転送可能なデータ通信手段１５を設ければ、携帯端末等により容易かつ確実にデータ収集を行うことができる。
【００１６】
（４）  好適な態様により、データＤに、炎検知データＤｎに加え、操作ハンドル１３に対する操作の回数に係わるデータＤｔ及び操作時の条件に係わるデータＤｒを含ませれば、実際の使用状態を的確かつ容易に把握できる。したがって、例えば、データ解析を行うなどにより、流水システム１の本来の機能や利便性を確保しつつ、より発展させた節水対策を行ったり節水意識を高めることができる。
【図面の簡単な説明】
【００１７】
【図１】本考案の好適実施形態に係る流水システム全体の外観構成図、
【図２】同流水システムにおけるフラッシュバルブユニットの断面構成図、
【図３】同流水システムにおける要部の原理構成図、
【図４】同流水システムの電気系統ブロック図、
【図５】同流水システムの全体動作を説明するためのフローチャート、
【図６】同流水システムにおける炎を検知した際の動作を説明するためのフローチャート、
【図７】同流水システムにおけるデータを外部機器により収集する際の動作を説明するためのフローチャート、
【図８】本考案の変更実施形態に係る流水システムにおけるフラッシュバルブ駆動ユニットの構成図、
【考案を実施するための形態】
【００１８】
次に、本考案に係る好適実施形態を挙げ、図面に基づき詳細に説明する。
【００１９】
まず、本実施形態に係る水洗トイレＴの流水システム１の構成について、図１〜図４を参照して説明する。
【００２０】
図１は、水洗トイレＴを示し、Ｍは和式の便器（大便器）である。また、１は、この水洗トイレＴに備える流水システムを示す。この流水システム１は、基本構成として、フラッシュバルブユニットＵｆ及びコントロール部Ｕｃを備える。
【００２１】
フラッシュバルブユニットＵｆは、図２に示すように、ハウジング３２を有し、このハウジング３２に、フラッシュバルブ１２と駆動機構Ｕｄを内蔵する。そして、フラッシュバルブ１２の左側の側面には流水入口を有し、この流水入口はハウジング３２から突出させ、図１に示すように、止水栓２１を介して上流側の水道管２２に接続するとともに、フラッシュバルブ１２の底面は、流水出口となり、この流水出口はバキュームブレーカ２３を介して便器Ｍ側に接続する。したがって、フラッシュバルブユニットＵｆを用いるも、水道管２２，止水栓２１，フラッシュバルブ１２，バキュームブレーカ２３，便器Ｍに至る流水経路は、既存の流水経路と実質同じとなる。
【００２２】
また、フラッシュバルブ１２の右側の側面には突出した操作ハンドル１３を備える。本実施形態では、既存のフラッシュバルブ１２をそのまま利用するも、この操作ハンドル１３及び図３に示すフラッシュバルブ１２に内蔵するリターンスプリング２５のみ、新たな操作ハンドル１３とリターンスプリング２５に交換する。この場合、操作ハンドル１３は、図３に示すように、操作入力側１３ｉと操作出力側１３ｏをオフセットさせた形状Ｚとなるように合成樹脂等により一体成形し、操作入力側１３ｉには、後述する駆動部２の出力部２ｏに係合する長孔による係合部１３ｓを形成する。リターンスプリング２５は、フラッシュバルブ１２に内蔵するプッシュバー２４に装填することにより、このプッシュバー２４、更にこのプッシュバー２４に当接する操作ハンドル１３を閉位置Ｘｃ、即ち、フラッシュバルブ１２が閉じる位置に戻す機能を有し、特に、弾性力を、駆動部２を使用しないときの弾性力よりも小さくなるように選定する。
【００２３】
このような形状Ｚの操作ハンドル１３を用いれば、フラッシュバルブ１２の周辺構成の更なる小型コンパクト化に寄与できるとともに、弾性力を小さくしたリターンスプリング２５を用いれば、駆動モータ１１を含む駆動部２の低能力化により、フラッシュバルブ１２の周辺構成の更なる低コスト化及び小型化に寄与できる利点がある。
【００２４】
一方、駆動機構Ｕｄは、図３に示すように、駆動モータ１１の回転を運動変換機構１４により運動変換して、操作ハンドル１３を、フラッシュバルブ１２が開く開位置Ｘｏ又はフラッシュバルブ１２が閉じる閉位置Ｘｃに選択的に変位させる駆動部２を備える。この駆動部２は、フラッシュバルブ１２に係止させた取付プレート３５により支持される。なお、駆動部２と操作ハンドル１３により駆動機構Ｕｄを構成する。この場合、駆動モータ１１は、特に種類を問わないが、後述するコントロール部Ｕｃにより正回転制御及び逆回転制御可能な駆動モータを選定する。例示の駆動モータ１１はＤＣモータである。
【００２５】
また、運動変換機構１４は、駆動モータ１１の出力シャフトに固定したピニオン３６，このピニオン３６に噛合する減速歯車３７，この減速歯車３７に噛合する平歯車３８，この平歯車３８に一端（上端）を固定したスクリュ歯車３９，このスクリュ歯車３９に螺合するナット歯車４０を有し、このナット歯車４０は、プランジャ４１に固定する。これにより、駆動モータ１１における出力シャフトの回転は、ピニオン３６，減速歯車３７，平歯車３８，スクリュ歯車３９を介して減速伝達され、スクリュ歯車３９に螺合するナット歯車４０及びこれに一体のプランジャ４１を昇降させる。
【００２６】
この場合、プランジャ４１の下端は、駆動部２の出力部２ｏとなり、プランジャ４１の下端に設けた係合ピン部４２が、操作ハンドル１３に形成した係合部１３ｓ、即ち、長孔に係合する。さらに、プランジャ４１は、図２に示すように、取付プレート３５に固定した補助プレート４３を用いて構成した上下一対のガイド部４４ｕ，４４ｄにより上下方向へ平行移動可能に支持される。また、プランジャ４１には、シャッタプレート４５を取付けるとともに、補助プレート４３には、シャッタプレート４５を検出可能な光学センサを用いた上下一対の上位置センサ４６ｕと下位置センサ４６ｄを取付ける。これにより、上位置センサ４６ｕ及び下位置センサ４６ｄは、閉位置Ｘｃ及び開位置Ｘｏに対応する出力部２ｏの位置を検出する位置検出部４６を構成する。このような位置検出部４６を設ければ、フラッシュバルブ１２を開位置Ｘｏ及び閉位置Ｘｃに確実に切換えることができる利点がある。なお、図１において、止水栓２１，水道管２２，バキュームブレーカ２３，フラッシュバルブユニットＵｆ，後述するケーブル８１は、壁面の内部側に設置されており、トイレブースＲ側からは見えない。
【００２７】
他方、コントロール部Ｕｃは、図１に示すように、トイレブースＲ内の壁面に取付けるケーシング５１を備える。ケーシング５１の前面には、音声及び擬音を出力するスピーカ５２を配設するとともに、利用者の存在を検知する人検知センサ５４，非接触スイッチを用いた手動操作スイッチ５５及び後述する外部機器Ｕｏに対して交信を行う赤外線送受のための送受信部５６等を配した入出力パネル５３を設ける。手動操作スイッチ５５は前方に手を翳すことによりＯＮさせることができる。なお、入出力パネル５３は半透明カバーにより覆われている。そして、このコントロール部Ｕｃは、ケーブル８１を介してフラッシュバルブユニットＵｆに接続する。
【００２８】
また、Ｕｘは、トイレブースＲ内における炎Ｆを検知する炎検知部Ｕｘであり、トイレブースＲの壁面上部或いは天井に取付ける。この炎検知部Ｕｘは、無線によりコントロール部Ｕｃに接続される。さらに、仮想線で示すＵｏは、管理者が携帯可能な携帯端末等の外部機器であり、コントロール部Ｕｃに対して無線により交信することができる。この外部機器Ｕｏは、表示部５７及び操作部５８等を備えている。
【００２９】
図４に、上述した駆動機構Ｕｄ，コントロール部Ｕｃ，炎検知部Ｕｘ及び外部機器Ｕｏの電気系統ブロック図を示す。同図中、Ｕｃはコントロール部であり、マイクロコンピュータ（マイコン）等を利用した制御部６１を内蔵する。制御部６１には内部メモリ６２が付属する。内部メモリ６２は、予め設定したシーケンスプログラムを格納するとともに、各種データＤを記憶するデータ記憶手段４を構成する。また、６３はメモリに登録した音声データを用いてスピーカ５２から音声を出力する音声発生部、６４はメモリに登録した擬音データを用いてスピーカ５２から擬音を出力する擬音発生部であり、それぞれ制御部６１に接続する。この場合、音声データにはガイダンスデータが含まれるとともに、擬音データには流水音データが含まれる。さらに、コントロール部Ｕｃは、炎検知部Ｕｘにより炎Ｆを検知したなら利用者に注意を促す警告発生手段５を構成する。その他、コントロール部Ｕｃにおいて、５４は人検知センサ、５５は手動操作スイッチ、６５は無線送信部及び無線受信部を含む無線通信部であり、それぞれ制御部６１に接続する。この無線通信部６５には、上述した送受信部５６が含まれる。なお、６６は、ＡＣ１００〔Ｖ〕電源に接続して直流出力を得る直流電源部である。
【００３０】
このような構成を有するコントロール部Ｕｃは、予め設定した条件により擬音を発生させ、かつ駆動部２を駆動制御する制御手段を構成するとともに、メモリ６２（データ記憶手段４）に記憶したデータＤを無線により外部機器Ｕｏに転送可能なデータ通信手段１５を構成する。このデータＤには、炎検知部Ｕｘにより炎Ｆを検知した際におけるその検知数に係わる炎検知データＤｎが含まれるとともに、操作ハンドル１３に対する操作の回数に係わるデータＤｔ及び操作時の条件に係わるデータＤｒが含まれる。炎検知データＤｎは、炎検知部Ｕｘが炎Ｆを検知した際における検知信号をコントロール部Ｕｃが受信するため、この検知信号の検知数（検知回数）に係わるデータである。また、Ｕｄは駆動機構であり、上述した駆動モータ１１，上位置センサ４６ｕ及び下位置センサ４６ｄを備え、それぞれケーブル８１を介して制御部６１に接続される。
【００３１】
一方、Ｕｘは炎検知部であり、制御部６７を備えるとともに、この制御部６７に接続した無線送信機能を有する無線通信部６８及び炎センサ８を備える。この炎センサ８は、炎Ｆを直接検知し或いは炎Ｆから間接的に発生する現象を検知するセンサであり、ライタ等の炎から発する紫外線を検知する紫外線センサ，タバコ１００から放射する熱を検知するサーモセンサ，煙を検知する煙センサ等を含む概念である。なお、７０は電池等を用いた電源部である。
【００３２】
さらに、Ｕｏは外部機器であり、制御部７１を備えるとともに、この制御部７１に接続したメモリ７２，無線送信部及び無線受信部を含む無線通信部７３，入出力ポート７４，バッテリ等を用いた電源部７５を備える。
【００３３】
次に、本実施形態に係る流水システム１の使用方法及び動作について、図１〜図７を参照して説明する。
【００３４】
まず、流水システム１の全体動作について、図５に示すフローチャートを参照して説明する。水洗トイレＴを使用していない状態であれば、人検知センサ５４は非検知状態にあり、コントロール部Ｕｃは待機モードを維持する（ステップＳ１）。この場合、操作ハンドル１３は閉位置Ｘｃにある。また、炎センサ８（炎検知部Ｕｘ）は、トイレブースＲ（感知エリア）内における炎Ｆの有無を常にセンシングしている。
【００３５】
今、利用者がトイレブースＲに入り、水洗トイレＴを使用する場合を想定する。利用者が人検知センサ５４の検知エリアに入れば、人検知センサ５４により利用者が検出され、この検出結果は、制御部６１に付与される（ステップＳ２）。そして、検出状態のまま２秒間が経過すれば、音声発生部６３が制御され、スピーカ５２から音声ガイダンス、例えば、「このトイレは自動で水が流れます」等の音声ガイダンスが出力する（ステップＳ３，Ｓ４）。したがって、人検知センサ５４が検出状態になった後、２秒間が経過する前に非検出状態になったときは、一時的な外乱と考えられるため、待機モードを維持する（ステップＳ３）。
【００３６】
一方、音声ガイダンスの出力が終了したなら続いて擬音発生部６４が制御され、スピーカ５２から流水音（擬音）が出力する（ステップＳ５）。女性の場合、一般的な水洗トイレでは、トイレ使用中の音を消すために、洗浄水を流し続ける場合も少なくなく、水道水のかなりの無駄を生じている。したがって、流水音（擬音）を流すことによりトイレ使用中の音を消すようにすれば、かなりの節水効果を得ることができる。なお、擬音の音量は設定可能であり、必要により擬音の種類を選択することもできる。そして、利用者が水洗トイレＴの使用を終え、人検知センサ５４の検知エリアから離れれば、人検知センサ５４は非検出状態となるため、この非検出結果は、制御部６１に付与され、擬音の出力が停止する（ステップＳ６，Ｓ７）。このように、擬音は、人検知センサ５４が検知状態になってから非検出状態になるまでの間継続することになる。
【００３７】
また、制御部６１では、内蔵タイマにより、人検知センサ５４が検出状態になった時点から非検出状態になる時点までの時間を計時することにより人検知時間Ｔｄを求め、この人検知時間Ｔｄの判定処理を行う（ステップＳ８）。具体的には、人検知時間Ｔｄを、予め設定した判定時間Ｔｓ（通常、９０〜１２０秒）と比較し、Ｔｄ＜Ｔｓであれば、「小」と判定し、Ｔｓ≦Ｔｄであれば、「大」と判定する。制御部６１では、この判定結果により流水時間を選択して洗浄水を流す時間を制御する（ステップＳ９，Ｓ１０）。この場合、「小」と判定した場合の流水時間は、１〜４秒に設定できるとともに、「大」と判定した場合の流水時間は、２〜８秒に設定でき、これらの流水時間の長さは予め設定することができる。なお、人検知センサ５４が検出状態になってから所定時間経過しても非検出状態にならないときは、利用者に何らかの異常が発生したことが考えられるため、ステップＳ８における判定処理では、異常発生と判定し、アラーム音を発生させたり、管理室に通報するなどの異常処理を行わせることができる。そして、選択した流水時間が経過したなら洗浄水を停止する制御を行う（ステップＳ１１，Ｓ１２）。
【００３８】
洗浄水を流す制御と停止する制御は、次のように行われる。まず、洗浄水を流す制御は、制御部６１から駆動モータ１１に対して正回転駆動信号を供給する。これにより、駆動モータ１１が正回転し、スクリュ歯車３９が正回転することによりナット歯車４０が下降する。ナット歯車４０の下降により一体のプランジャ４１も下降し、出力部２ｏに係合する操作ハンドル１３が押し下げられる。そして、図３に示すように、操作ハンドル１３が閉位置Ｘｃから開位置Ｘｏまで変位すれば、シャッタプレート４５が下位置センサ４６ｄにより検出され、制御部６１は駆動モータ１１を停止制御する。操作ハンドル１３が開位置Ｘｏに変位すれば、操作ハンドル１３の操作出力側１３ｏがプッシュバー２４を、図３中、左方向に押し出すため、フラッシュバルブ３は開状態となり、洗浄水が便器Ｍに流れる。この際、プッシュバー２４はリターンスプリング２５の弾性に抗して変位する。
【００３９】
他方、洗浄水を停止する制御は、制御部６１から駆動モータ１１に対して逆回転駆動信号を供給し、駆動モータ１１を逆回転させる。これにより、スクリュ歯車３９が逆回転し、ナット歯車４０が上昇する。ナット歯車４０の上昇によりプランジャ４１も上昇し、出力部２ｏに係合する操作ハンドル１３が引き上げられる。そして、操作ハンドル１３が開位置Ｘｏから図２に示す閉位置Ｘｃまで変位すれば、シャッタプレート４５が上位置センサ４６ｕにより検出され、制御部６１は駆動モータ１１を停止制御する。また、この際、操作ハンドル１３に対する操作の回数に係わるデータＤｔと、操作時の条件、即ち、流水時間に係わるデータＤｒは、メモリ６２に記憶される（ステップＳ１３）。このように、データＤに、操作ハンドル１３に対する操作の回数に係わるデータＤｔ及び操作時の条件に係わるデータＤｒを含ませれば、実際の使用状態をより的確に把握することができる。この後は、システム１を停止させない限り同様の動作（処理）が繰り返される（ステップＳ１４）。
【００４０】
次に、利用者がトイレブースＲ内においてタバコを吸った場合の処理（動作）について、図６を参照して説明する。
【００４１】
図１の符号１００がタバコを示している。利用者がタバコを吸った場合、タバコ１００から炎Ｆ（熱）が発生する。一方、上述したように、炎検知部Ｕｘは、トイレブースＲ（感知エリア）内における炎Ｆの有無を常にセンシングしている（ステップＳ２１）。したがって、炎検知部Ｕｘの炎センサ（サーモセンサ）８は、炎Ｆから放射される熱を検知するため、炎センサ８から出力する検知信号（検知データ）は、制御部６７を介して無線通信部６８に付与され、コントロール部Ｕｃに対して無線により送信される（ステップＳ２２，Ｓ２３）。この場合、前述したように、炎検知部Ｕｘの炎センサ８に煙センサを用いて煙を検知するようにしてもよいし、炎センサ８に紫外線センサを用いてライタ等の炎から発する紫外線を検知するようにしてもよい。
【００４２】
そして、無線通信部６８から送信された検知データは、コントロール部Ｕｃの無線通信部６５により受信し、受信した検知データは制御部６１に付与される（ステップＳ２４）。これにより、制御部６１は、システム動作が進行中であれば、システム動作を中断し、警告発生手段５により、利用者に対して警告音及び音声ガイダンスにより注意を促す（ステップＳ２５，Ｓ２６）。システム動作を中断するとは、上述したステップＳ４における音声ガイダンスやステップＳ５における流水音（擬音）が出力中の場合、その出力を中断し、ステップＳ２６における警告音及び音声ガイダンスを出力することを意味する。
【００４３】
また、制御部６１は、検知数に係わる炎検知データＤｎをメモリ６２（データ記憶手段４）に記憶する（ステップＳ２７）。この場合、「検知数」には、少なくとも前回のチェック日からの検知回数（カウント数）を含めるとともに、必要により検知日や検知時間等を含めることができる。そして、炎Ｆを検知したことに伴う上述した処理が終了したなら、システム動作の中断を解除し、例えば、中断したサブルーチンからシステム動作を再開する（ステップＳ２８）。一方、ステップＳ２４において、炎検知データＤをコントロール部Ｕｃの無線通信部６５により受信したなら、コントロール部Ｕｃの外部出力端子から管理者側に設置された外部出力装置（監視装置）に通報（送信）する（ステップＳ２９，Ｓ３０）。
【００４４】
このように、本実施形態に係る流水システム１によれば、トイレブースＲ内における炎Ｆを検知する炎検知部Ｕｘと、この炎検知部Ｕｘにより炎Ｆを検知したなら利用者に注意を促す警告発生手段５，及び少なくとも検知数に係わる炎検知データＤｎを記憶するデータ記憶手段４を有するコントロール部Ｕｃとを設けたため、火災防止やトイレ環境維持等の高い付加価値を得ることができる。したがって、システム１の有効利用が可能となり、多機能性（多様性）及びコストパフォーマンスに優れる。
【００４５】
なお、コントロール部Ｕｃに備える手動操作スイッチ５５を手動で操作することにより任意に洗浄水を流すことができる。したがって、例えば、清掃者が清掃時等に任意に洗浄水を流すことができる。この場合、清掃者が、待機モードのコントロール部Ｕｃにおける入出力パネル５３（手動操作スイッチ５５）の前に手を翳せば、手動操作スイッチ５５がＯＮする。これにより、制御部６１は、駆動モータ１１に対して正回転駆動信号を供給し、操作ハンドル１３を開位置Ｘｏに変位させることにより、フラッシュバルブ３を開状態にして便器Ｍに洗浄水を流す。そして、予め設定した流水時間が経過したなら、制御部６１は、駆動モータ１１に対して逆回転駆動信号を供給し、操作ハンドル１３を閉位置Ｘｃに変位させることにより、フラッシュバルブ３を閉状態にして洗浄水を停止させる。この際、操作ハンドル１３に対する操作及び流水時間は、手動操作に基づくデータＤｔ，Ｄｒとしてメモリ６２に記憶される。手動操作スイッチ５５による動作の態様は、例示のように、予め設定した流水時間により行ってもよいし、その他、手を翳している間だけ洗浄水が流れるようにする態様、或いは手を瞬間的に翳して小流量の洗浄水を流し、手を２秒以上翳して大流量の洗浄水を流す態様など、任意の態様を採用できる。
【００４６】
一方、外部機器Ｕｏを用いて、各種条件設定やデータ収集等を行うことができる。図７は、一例としてメモリ６２に記憶されたデータＤを外部機器Ｕｏにより収集する際の動作をフローチャートで示す。データＤを収集する際には、まず、図１に示すように、仮想線で示す外部機器Ｕｏ（携帯端末）の上端（送受信部）をコントロール部Ｕｃに向け、データＤを収集するための所定のキー操作を行う（ステップＳ３１）。これにより、外部機器ＵｏからデータＤを収集するための指令信号が無線通信部７３から送信される（ステップＳ３２）。そして、コントロール部Ｕｃは、送受信部５６により指令信号を受信する（ステップＳ３３）。これにより、制御部６１はメモリ６２に記憶されているデータＤを読み出すとともに、無線通信部６５を介して外部機器Ｕｏに送信する（ステップＳ３４）。外部機器Ｕｏは、無線通信部７３によりデータＤを受信し（ステップＳ３５）、このデータＤは外部機器Ｕｏの表示部５７に表示されるとともに、メモリ７２に記憶される（ステップＳ３６，Ｓ３７）。
【００４７】
このように、コントロール部Ｕｃには、メモリ６２に記憶したデータＤを無線により外部機器Ｕｏに転送可能なデータ通信手段１５を備えている。このようなデータ通信手段１５を備えることにより、携帯端末等により容易かつ確実にデータ収集を行うことができる利点がある。なお、各種条件設定を行う場合も基本的には同様の動作となる。この場合、予め外部機器Ｕｏにおいて各種条件を設定し、設定した各種条件に係わる設定データを外部機器Ｕｏからコントロール部Ｕｃに無線で転送できる。したがって、コントロール部Ｕｃにおいて直接設定する煩わしさを解消できる。
【００４８】
このような流水システム１によれば、開位置Ｘｏ又は閉位置Ｘｃに選択的に変位させる駆動部２の出力部２ｏに係合する係合部１３ｓを有する操作ハンドル１３を用いたため、既存のフラッシュバルブ１２をそのまま利用する場合であっても、操作ハンドル１３の交換により容易に対応することができ、フラッシュバルブ１２の周辺構成の低コスト化及び小型コンパクト化の双方を満足させることができる。また、駆動機構Ｕｄに加え、予め設定した条件により擬音を発生させ、かつ駆動部２を駆動制御する制御手段と、この制御手段の制御に係わるデータＤを記憶するデータ記憶手段４とを有するコントロール部Ｕｃを備えるため、実際の使用状態を的確かつ容易に把握できる。したがって、例えば、データ解析を行うなどにより、流水システム１の本来の機能や利便性を確保しつつ、より発展させた節水対策を行ったり節水意識を高めることができる。
【００４９】
他方、図８は、本考案の変更実施形態に係る流水システム１におけるフラッシュバルブ駆動ユニットＵｅを示す。図１〜図３に示したフラッシュバルブユニットＵｆは、既存のフラッシュバルブ１２をそのまま利用するも、操作ハンドル１３及びリターンスプリング２５を、新たな専用の操作ハンドル１３とリターンスプリング２５に交換したものであるが、図８に示すフラッシュバルブ駆動ユニットＵｅは、既存の操作ハンドル１３及びリターンスプリングを含むフラッシュバルブ１２の全体をそのまま利用したものである。したがって、フラッシュバルブ駆動ユニットＵｅは、既存のフラッシュバルブ１２に付設することができ、基本的には、前述したフラッシュバルブユニットＵｆにおける駆動部２により構成する。
【００５０】
フラッシュバルブ駆動ユニットＵｅにおいて、９１はフラッシュバルブ１２に取付固定するための取付ベースであり、この取付ベース９１により駆動部２が支持される。駆動部２は、図２及び図３に示した駆動部２と同様の動作を行い、駆動モータ１１を正回転制御又は逆回転制御することにより、駆動部２の出力部２ｏを昇降させることができる。この場合、出力部２ｏの下端には、操作駒９２が設けてあり、この操作駒９２が操作ハンドル１３の上端に当接する。このため、出力部２ｏが実線で示す上昇位置にあれば、操作ハンドル１３は実線で示す水平位置となり、フラッシュバルブ１２は閉状態になる。一方、出力部２ｏが仮想線で示す下降位置にあれば、操作ハンドル１３は仮想線で示す１３ｄのように下方傾斜位置となるため、フラッシュバルブ１２は開状態となり、洗浄水を便器Ｍに流すことができる。なお、図８において、図２及び図３と同一部分には同一符号を付してその構成を明確にするとともに、その詳細な説明を省略する。
【００５１】
以上、好適実施形態（変更実施形態）について詳細に説明したが、本考案は、このような実施形態に限定されるものではなく、細部の構成，手法，形状，素材，数量等において、本考案の要旨を逸脱しない範囲で、任意に変更，追加，削除することができる。
【００５２】
例えば、駆動部２（運動変換機構１４）の構成は例示の機能と同様の機能を有する他の形態により置換できる。また、操作ハンドル１３は、操作入力側１３ｉと操作出力側１３ｏをオフセットさせたクランク形の形状Ｚを例示したが、他の形状Ｚを排除するものではない。一方、データ通信手段１５として無線手段を例示したが有線手段を排除するものではない。さらに、外部機器Ｕｏとして、携帯端末を例示したが、ノートパソコンや多機能携帯電話等を利用できる。なお、携帯端末は専用端末であるか汎用端末であるかを問わない。また、データＤとして、操作ハンドル１３に対する操作の回数に係わるデータＤｔ及び操作時の条件に係わるデータＤｒを例示したが、利用者の滞在時間（使用時間）等の各種データを適用できる。さらに、操作スイッチ５５…も押ボタンスイッチ等の各種形態のスイッチを用いることができる。
【産業上の利用可能性】
【００５３】
本考案に係る流水システムは、駆動部を制御して便器に洗浄水を自動で流す各種水洗トイレに利用できる。
【符号の説明】
【００５４】
１：流水システム，２：駆動部，４：データ記憶手段，５：警告発生手段，１１：駆動モータ，１２：フラッシュバルブ，１３：操作ハンドル，１４：運動変換機構，１５：データ通信手段，Ｍ：便器，Ｔ：水洗トイレ，Ｒ：トイレブース，Ｆ：炎，Ｕｘ：炎検知部，Ｕｃ：コントロール部，Ｕｏ：外部機器，Ｄ：データ，Ｄｎ：炎検知データ，Ｄｔ：データ，Ｄｒ：データ，Ｘｏ：開位置，Ｘｃ：閉位置
【図１】
0003172355.tif 000003
【図２】
0003172355.tif 000004
【図３】
0003172355.tif 000005
【図４】
0003172355.tif 000006
【図５】
0003172355.tif 000007
【図６】
0003172355.tif 000008
【図７】
0003172355.tif 000009
【図８】
0003172355.tif 000010